(57)【要約】【課題】  縫製する際に裁断線を必要とする初心者や縫製に不慣れな者でも簡単に手間をかけずに裁断線を描くことができる定規を開発することを課題とした。【解決手段】  上記課題を解決するために、本発明の裁断線を描くための定規は、透明性のある合成樹脂製シートの定規であり、半径が８０ｍｍから１４０ｍｍの範囲にある円弧の一つを基準円弧として、中心角が０．５度から４．０度の範囲にある一定の角度で基準円弧上に複数の区切り点をつけ、隣り合った区切り点を結んだ線を底辺とする二等辺三角形群と、連続する二つの区切り点の基準円弧上の中点で、隣り合った中点を結んだ線を底辺とする二等辺三角形群が、基準円弧を境に互いに頂点を逆向きにして連鎖している形状で、それぞれの頂点方向に基準円弧を原点とする縫代目盛を具備することを特徴とする。【選択図】図１
2008081879.tif 000002
【特許請求の範囲】
【請求項１】
型紙に描かれた縫製線に対する裁断線を描くための定規において、透明性のある合成樹脂製シートの定規であり、半径が８０ｍｍから１４０ｍｍの範囲にある円弧の一つを基準円弧として、中心角が０．５度から４．０度の範囲にある一定の角度で基準円弧上に複数の区切り点をつけ、隣り合った区切り点を結んだ線を底辺とする二等辺三角形群と、連続する二つの区切り点の基準円弧上の中点で、隣り合った中点を結んだ線を底辺とする二等辺三角形群が、基準円弧を境に互いに頂点を逆向きにして連鎖している形状で、それぞれの頂点方向に基準円弧を原点とする縫代目盛を具備することを特徴とする裁断線を描くための定規。
【発明の詳細な説明】
【技術分野】
【０００１】
本発明は、縫製のための型紙に描かれた縫製線をもとにして、裁断線を描くための定規に関する。
【背景技術】
【０００２】
従来、縫製用型紙には裁断線が描かれていないことが多いが、手馴れた者は裁断線が無くても目分量で縫代を取りながら裁断することができる。しかしながら、初心者や不慣れな者は、目印の無い布地を裁断することは失敗したりする恐れがあり、躊躇したり抵抗感が出たりする。それを解決するために、下記特許文献に挙げたような裁断線を描くための特許が出願されている。
【特許文献１】特開平１０−１８３４１７
【特許文献２】特開２００５−３１４８２６
【発明の開示】
【発明が解決しようとする課題】
【０００３】
従来、縫製線上の各点を直線定規やデバイダなどを使用して縫代を記すことは、１回毎に縫製線の垂線を探し縫代の長さを測る必要があり、非常に面倒な作業である。一方、特許文献１は、縫代を印付けるために2つの直線引き辺と複数の目安線をつけている定規であり、曲線の多い縫製線には従来と同様に定規を細かく繰り返し移動させる必要がある。また、特許文献２は、好みのデザインの形状をしているテンプレートを使用してキルテイングやパッチワークなどを行うときに、布地に仕上がり線および縫代規定線を適切に描く為の縫代規定線形成補助セットであり、一般的な縫製に使用するには適しない。このような現状を考慮し、本発明は、裁断線を必要とする初心者や縫製に不慣れな者でも簡単に扱うことができ、型紙あるいは縫製線を写した布地等に手間をかけずに裁断線を描くことができる定規を開発することを課題とした。
【課題を解決するための手段】
【０００４】
上記課題を解決するために、本発明の裁断線を描くための定規は、透明性のある合成樹脂製シートの定規であり、半径が８０ｍｍから１４０ｍｍの範囲にある円弧の一つを基準円弧として、中心角が０．５度から４．０度の範囲にある一定の角度で基準円弧上に複数の区切り点をつけ、隣り合った区切り点を結んだ線を底辺とする二等辺三角形群と、連続する二つの区切り点の基準円弧上の中点で、隣り合った中点を結んだ線を底辺とする二等辺三角形群が、基準円弧を境に互いに頂点を逆向きにして連鎖している形状で、それぞれの頂点方向に基準円弧を原点とする縫代目盛を具備することを特徴とする。
【発明の効果】
【０００５】
従来から行われている直線定規やデバイダなどで縫製線の垂線を探して縫代の長さを繰り返し測りながら縫代を印していく方法は、面倒で時間がかかるが、本発明の裁断線を描くための定規を使用すると、二等辺三角形の底点を結ぶ線を縫製線にあてがいながら縫代目盛に従って裁断線を描くことができるので、手軽で手間が掛からず、特に曲線の裁断線を描くときに便利である。また、透明性のある材質を使用しているので、縫製線にあてがった定規の位置が縫製線からずれていないか確認しながら裁断線を描くことができる。
【０００６】
さらに、型紙に描かれている縫製線に補正が必要になった時には、従来は、型紙の中心線を切り開き、補正幅を切り貼りして補正を行っていることが多いが、本発明の裁断線を描くための定規を使用することにより、円弧の外側方向を補正の増加分、また、円弧の内側方向を補正の減少分として、補正幅を描くことができるので、補正するために大事な型紙を切り貼りする必要が無くなる。
【発明を実施するための最良の形態】
【０００７】
本発明の裁断線を描くための定規について、実施の１例をもとに以下図面を参照しつつ詳細に説明する。
【実施例１】
【０００８】
実施例1は、厚み０．５ｍｍで透明性のあるポリプロピレン製シートで製作したが、その形状などを分かりやすく説明するための図１は、見易いように中心角を４度にして区切り点を描いた。また、実施例1では、半径１１５．０ｍｍ、中心角７０度の円弧を基準円弧１として、基準円弧１上に中心角２度の間隔で区切り点を多数つけ、半径８０．０ｍｍと１５０．０ｍｍの基準円弧１の共心円弧上に二等辺三角形群の頂点を設け、それぞれの二等辺三角形に基準円弧１を原点として５．０ｍｍ間隔の共心円弧の縫代目盛２を付けた。
【０００９】
この基準円弧１上に付けてある区切り点で、隣り合った区切り点を結ぶ線を底辺として、基準円弧１の半径より３５．０ｍｍ長い位置を頂点３とする二等辺三角形群を描く。次に、該二等辺三角形の中心線と基準円弧１との交点で、隣り合った交点を結ぶ線を底辺として、基準円弧１の半径より３５．０ｍｍ短い位置を頂点３とする二等辺三角形群を描く。そして、それらの二等辺三角形群に、基準円弧１の共心円弧を半径８５．０ｍｍから１４５．０ｍｍの間で５．０ｍｍ間隔の共心円弧の縫代目盛２を付けた後に、二等辺三角形群のそれぞれの等辺に沿って切り込むと、本発明の裁断線を描くための定規が出来上がる。
【００１０】
完成した定規の基準円弧１上に連続している二等辺三角形のそれぞれの底点を結ぶ円弧を、型紙あるいは布に描かれている縫製線にあてがい、縫製線から外れないように、定規を片手で押さえるか待ち針などで固定しながら、二等辺三角形群の等辺に印されている縫代目盛２の位置を印付けることで裁断線を描くことができる。また、基準円弧１以外の縫代目盛２線を縫製線にあてがって、裁断線を描くこともできる。
【実施例２】
【００１１】
実施例２は実施例１の本発明の裁断線を描くための定規を改良したもので、図２に示すように、二等辺三角形群のそれぞれの頂点から１０．０ｍｍを切り取り、さらに、それぞれの二等辺三角形の片側に切除部分５を設けたものである。
【００１２】
実施例２の定規は、共心円弧の縫代目盛２の先端を利用にして裁断線を描くことができる。また、二等辺三角形群の切除部分５を切り取ったことにより、定規に柔軟性が増し裁断線の印付けも容易になる。
【００１３】
以上、本発明の実施例及び使用方法について具体的に説明したが、それぞれの寸法や、目盛の間隔などはこれに限定するものではなく、また、その材質、厚み、色なども、これに限定されるものではない。  
【００１４】
また、本発明の裁断線を描くための定規は、基準円弧１を境にして頂点が逆側になっている隣接する二等辺三角形の一対あるいは２対だけを抜き出して使用することもできる。
【図面の簡単な説明】
【００１５】
【図１】本発明の実施例１の説明図
【図２】本発明の実施例２の説明図
【符号の説明】
【００１６】
１  基準円弧
２  縫代目盛
３  二等辺三角形の頂点
４  頂点切除部分
５  切除部分
【図１】
2008081879.tif 000003
【図２】
2008081879.tif 000004